(57)【特許請求の範囲】
【請求項１】
走行可能な車両（２）に搭載されるスライドブーム（４）であって、
第１のブームパイプ（２０）と、
前記第１のブームパイプ（２０）にその長さ方向に沿ってスライド可能に設けられた第２のブームパイプ（３０）と、
前記第２のブームパイプ（３０）の基端側を前記第１のブームパイプ（２０）に支持する基端側支持部（３１，３３）と、
前記第２のブームパイプ（３０）の先端側を前記第１のブームパイプ（２０）に支持する先端側支持部（２２）と、
前記基端側支持部（３１，３３）及び前記先端側支持部（２２）の間の領域において、前記第２のブームパイプ（３０）又は前記第１のブームパイプ（２０）のいずれか一方に設けられたブームパイプ撓み防止装置（６０）と、を備え、
前記ブームパイプ撓み防止装置（６０）は、前記第１のブームパイプ（２０）の長さ方向に垂直な方向かつ前記第１のブームパイプ（２０）及び前記第２のブームパイプ（３０）が並ぶ方向に垂直な方向に対して前記第２のブームパイプ（３０）を前記第１のブームパイプ（２０）に支持するための第１の支持ローラ（６４）、及び、前記第１のブームパイプ（２０）及び第２のブームパイプ（３０）が並ぶ方向に対して前記第２のブームパイプ（３０）を前記第１のブームパイプ（２０）に支持するための第２の支持ローラ（６５）のうち少なくとも一方を有する、スライドブーム（４）。
【請求項２】
前記ブームパイプ撓み防止装置（６０）は、前記第２のブームパイプ（３０）に設けられたブラケット（６１）を有し、前記ブラケット（６１）には、前記第１の支持ローラ（６４）及び前記第２の支持ローラ（６５）が設けられている、請求項１記載のスライドブーム（４）。
【請求項３】
前記第１のブームパイプ（２０）は、外部に露出する上面（Ｓ１）及び該上面（Ｓ１）に直交する垂直面（Ｓ２）を有し、
前記第１の支持ローラ（６４）は前記上面（Ｓ１）に当接し、前記第２の支持ローラ（６５）は前記垂直面（Ｓ２）に当接する、請求項２記載のスライドブーム（４）。
【請求項４】
前記ブームパイプ撓み防止装置（６０）は、前記第２のブームパイプ（３０）の基端側と先端側とをつなぐワイヤ（５８）を張架するための支柱部（６２）を備える、請求項３記載のスライドブーム（４）。
【発明の詳細な説明】
【技術分野】
【０００１】
本発明は、スライドブームに関するものである。
【背景技術】
【０００２】
従来、農薬等を散布するためのブームスプレーヤに搭載されたスライドブームとして、複数のブームパイプを備えたものが知られている（例えば、特許文献１参照）。
【先行技術文献】
【特許文献】
【０００３】
【特許文献１】特許第４６９０９３９号公報
【発明の概要】
【発明が解決しようとする課題】
【０００４】
このようなスライドブームでは、各ブームパイプがその基端側及び先端側の両端において隣り合う他のブームパイプに支持されて出し入れされる構造をしているため、スライドブームを縮めた状態（格納した状態）にすると、ブームパイプの中央部分が自重により重力方向へ撓んでしまう。そして、ブームスプレーヤの走行時には、この重力方向への撓みと、スライドブームの揺れによる水平方向への撓みとにより、隣り合うブームパイプ同士が接触して異音や破損が発生し得る。
【０００５】
そこで本発明は、スライドブームを縮めた状態におけるブームパイプの撓みを防止することができるスライドブームを提供することを目的とする。
【課題を解決するための手段】
【０００６】
本発明は、走行可能な車両（２）に搭載されるスライドブーム（４）であって、第１のブームパイプ（２０）と、第１のブームパイプ（２０）にその長さ方向に沿ってスライド可能に設けられた第２のブームパイプ（３０）と、第２のブームパイプ（３０）の基端側を第１のブームパイプ（２０）に支持する基端側支持部（３１，３３）と、第２のブームパイプ（３０）の先端側を第１のブームパイプ（２０）に支持する先端側支持部（２２）と、基端側支持部（３１，３３）及び先端側支持部（２２）の間の領域において、第２のブームパイプ（３０）又は第１のブームパイプ（２０）のいずれか一方に設けられたブームパイプ撓み防止装置（６０）と、を備え、ブームパイプ撓み防止装置（６０）は、第１のブームパイプ（２０）の長さ方向に垂直な方向かつ第１のブームパイプ及び第２のブームパイプ（３０）が並ぶ方向に垂直な方向（以下、便宜上「上下方向」と呼ぶ）に対して第２のブームパイプ（３０）を第１のブームパイプ（２０）に支持するための第１の支持ローラ（６４）、及び、第１のブームパイプ（２０）及び第２のブームパイプ（３０）が並ぶ方向（以下、便宜上「水平方向」と呼ぶ）に対して第２のブームパイプ（３０）を第１のブームパイプ（２０）に支持するための第２の支持ローラ（６５）のうち少なくとも一方を有する、スライドブーム（４）を提供する。
【０００７】
このスライドブーム（４）において、ブームパイプ撓み防止装置（６０）が第１の支持ローラ（６４）を有する場合には、スライドブーム（４）における基端側支持部（３１，３３）及び先端側支持部（２２）の間の領域において第１の支持ローラ（６４）により第２のブームパイプ（３０）が第１のブームパイプに対して上下方向に支持されるため、スライドブーム（４）を縮めた状態において第２のブームパイプ（３０）が上下方向に撓むことが防止される。また、このスライドブーム（４）において、ブームパイプ撓み防止装置（６０）が第２の支持ローラ（６５）を有する場合には、スライドブームにおける基端側支持部（３１，３３）及び先端側支持部（２２）の間の領域において第２の支持ローラ（６５）により第２のブームパイプ（３０）が第１のブームパイプ（２０）に対して水平方向に支持されるため、スライドブーム（４）を縮めた状態において第２のブームパイプ（３０）がブームスプレーヤ１の走行時のスライドブーム（４）の揺れにより水平方向に撓むことが防止される。従って、本発明のスライドブーム（４）によれば、スライドブーム（４）を縮めた状態におけるブームパイプの撓みを防止することができる。
【０００８】
ここで、ブームパイプ撓み防止装置（６０）は、第２のブームパイプ（３０）に設けられたブラケット（６１）を有し、ブラケット（６１）には、第１の支持ローラ（６４）及び第２の支持ローラ（６５）が設けられていることが好ましい。これによれば、ブームパイプの上下方向及び水平方向の撓みを防止する部材を集約して一つの部材とすることができるため、取扱い性の向上及び低コスト化を図ることができる。
【０００９】
また、第１のブームパイプ（２０）は、外部に露出する上面（Ｓ１）及び該上面（Ｓ１）に直交する垂直面（Ｓ２）を有し、第１の支持ローラ（６４）は上面（Ｓ１）に当接し、第２の支持ローラ（６５）は垂直面（Ｓ２）に当接することが好ましい。これによれば、複数のブームパイプ（２０，３０）を備えるスライドブーム（４）を組み立てた後でも、外部に露出した上面（Ｓ１）及び垂直面（Ｓ２）に対してブームパイプ撓み防止装置（６０）を容易に取り付けることができる。また、既存のスライドブームに対しても、第１のブームパイプ（２０）及び第２のブームパイプ（３０）を分解することなく、外部に露出した上面（Ｓ１）及び垂直面（Ｓ２）に対して後付けでブームパイプ撓み防止装置（６０）を容易に取り付けることができる。
【００１０】
また、ブームパイプ撓み防止装置（６０）は、第２のブームパイプ（３０）の基端側と先端側とをつなぐワイヤ（５８）を張架するための支柱部（６２）を備えることが好ましい。このように第２のブームパイプ（３０）にワイヤ（５８）が張られている場合、そのワイヤ（５８）を支柱部（６２）で張架することにより、スライドブーム（４）を伸ばした状態（第１のブームパイプ（２０）に対して第２のブームパイプ（３０）をスライドさせて出した場合）において第２のブームパイプ（３０）の先端側が自重により垂れ下がることを防止することができる。
【発明の効果】
【００１１】
本発明によれば、スライドブームを縮めた状態におけるブームパイプの撓みを防止することができるスライドブームを提供することができる。
【図面の簡単な説明】
【００１２】
【図１】本実施形態のブームスプレーヤの概要を示す斜視図である。
【図２】本実施形態のスライドブームの正面図である。
【図３】図２のIII−III断面図である。
【図４】図２のIV−IV断面図である。
【図５】図２のV−V断面図である。
【図６】本実施形態のスライドブームの基端側の斜視図である。
【図７】本実施形態のスライドブームの先端側の拡大正面図である。
【図８】本実施形態のブームパイプ撓み防止装置の正面図である。
【図９】本実施形態のブームパイプ撓み防止装置の一部断面側面図である。
【発明を実施するための形態】
【００１３】
以下、本発明の好適な実施形態について詳細に説明する。なお、本明細書において「上」及び「下」なる語句は、スライドブームの使用に際する向きであってその長さ方向を水平にした場合の方向を指しているものとする。
【００１４】
図１に示されるように、ブームスプレーヤ１は、走行可能な車両２と、車両２の後部に取付けられたセンターブーム３と、センターブーム３の一端又は両端に折り畳み可能且つ上下方向に揺動可能に取付けられたスライドブーム４とを備えている。なお、図１ではスライドブーム４を折り畳んだ状態を示している。
【００１５】
本実施形態のスライドブーム４は、以下のとおりの基本構成を有する。
【００１６】
図２〜７に示されるように、スライドブーム４は、１段目ブームパイプ１０と、１段目ブームパイプ１０の外側に設けられた２段目ブームパイプ（第１のブームパイプ）２０と、２段目ブームパイプ２０の外側に設けられた３段目ブームパイプ（第２のブームパイプ）３０と、を有する。
【００１７】
２段目ブームパイプ２０の基端側（車両に近い側）には、一対の第１の基端側スライドローラ２１が上下に離間して設けられている（図３）。また、１段目ブームパイプ１０の先端側（車両から遠い側）には、上側に一つ、下側に二つの第１の先端側スライドローラ１２が設けられている（図５及び図７）。
【００１８】
１段目ブームパイプ１０の内側上面及び内側下面には、それぞれ１段目ブームパイプ１０の長さ方向に延びるように溝１０ａが形成されており（図３及び図４）、この溝１０ａに第１の基端側スライドローラ２１が嵌合する（図３）。一方、２段目ブームパイプ２０の上面及び下面には、それぞれ２段目ブームパイプ２０の長さ方向に延びるように溝２０ａが形成されており（図３〜図５）、この溝２０ａに第１の先端側スライドローラ１２が嵌合する（図４及び図５）。これらの溝１０ａ，２０ａ及びスライドローラ２１，１２により、２段目ブームパイプ２０が１段目ブームパイプ１０に対してその長さ方向に沿ってスライド可能とされている。
【００１９】
３段目ブームパイプ３０の基端側にはローラ取付けブラケット３３が取付けられており（図３及び図６）、ローラ取付けブラケット（基端側支持部）３３には一対の第２の基端側スライドローラ（基端側支持部）３１が上下に離間して設けられている。また、２段目ブームパイプ２０の先端側には、上側に一つ、下側に二つの第２の先端側スライドローラ（先端側支持部）２２が設けられている（図４及び図７）。
【００２０】
２段目ブームパイプ２０の内側上面及び内側下面には、それぞれ２段目ブームパイプ２０の長さ方向に延びるように溝２０ｂが形成されており（図３及び図６）、この溝２０ｂに第２の基端側スライドローラ３１が嵌合する。一方、３段目ブームパイプ３０の上面及び下面には、それぞれ３段目ブームパイプ３０の長さ方向に延びるように溝３０ａが形成されており、この溝３０ａに第２の先端側スライドローラ２２が嵌合する（図４及び図５）。これらの溝２０ｂ，３０ａ及びスライドローラ３１，２２により、３段目ブームパイプ３０が２段目ブームパイプ２０に対してその長さ方向に沿ってスライド可能とされている。
【００２１】
１段目ブームパイプの基端部１４には、上方へ延びる支柱１５ａ、及び、傾斜して上方に延びる支柱１５ｂが固定されている（図２，図３及び図６）。１段目ブームパイプ１０の先端部１６には、上方へ延びる支柱１７ａが固定されている（図７）。支柱１７ａの途中には、支柱１５ｂと同じ側の側方に水平に突出する支持具１７ｂが形成されている（図５）。
【００２２】
一方、２段目ブームパイプの基端部２４には、上下方向に延びる支柱２５が固定されている（図６）。２段目ブームパイプの先端部２６には、上方へ延びる支柱２７が固定されている（図２，図４及び図７）。
【００２３】
支柱１５ａの上端部と支柱１７ａの上端部との間、支柱１５ｂの上端部と支持具１７ｂの先端部との間、及び、支柱２５と支柱２７との間には、それぞれワイヤ１８，２８，３８が張架されている（図２，図６及び図７）。ワイヤ１８，２８，３８は互いに平行とされ、基端側にはそれぞれコイルホース１９，２９，３９が伸縮自在に吊設されている（図３，６）。
【００２４】
コイルホース１９の一端は、支柱１５ａに設けられた配管４１ａに接続され、コイルホース１９の他端は、可撓性を有する連結ホース４２ａに接続されている。連結ホース４２ａは、２段目ブームパイプ２０の外側部において、２段目ブームパイプ２０の長さ方向に沿って固定されているノズルパイプ４３ａに接続されている。これらの構成により、散布すべき農薬等が配管４１ａ、コイルホース１９、連結ホース４２ａを経て２段目ブームパイプ２０のノズルパイプ４３ａに供給される。なお、ノズルパイプ４３ａは、図６においては３段目ブームパイプ３０の陰に隠れて見えない。
【００２５】
連結ホース４２ａがノズルパイプ４３ａに接続されているため、２段目ブームパイプ２０が１段目ブームパイプ１０に対してスライドした場合に、コイルホース１９が連結ホース４２ａに引っ張られてワイヤ１８に沿って伸び、逆に２段目ブーム２０が戻るときは縮む。
【００２６】
コイルホース２９の一端は、支柱１５ａに設けられた配管４１ｂに接続され、コイルホース２９の他端は、支柱２５に固定されているＬ形配管４１ｃを介してコイルホース３９の一端に接続されている。コイルホース３９の他端は、可撓性を有する連結ホース４２ｂに接続されている。連結ホース４２ｂは、３段目ブームパイプ３０の外側部において、３段目ブームパイプ３０の長さ方向に沿って固定されているノズルパイプ４３ｂに接続されている。これらの構成により、散布すべき農薬等が配管４１ｂ、コイルホース２９、Ｌ形配管４１ｃ，コイルホース３９，連結ホース４２ｂを経て３段目ブームパイプ３０のノズルパイプ４３ｂに供給される。
【００２７】
Ｌ形配管４１ｃが２段目ブームパイプ２０の支柱２５に固定されているため、２段目ブームパイプ２０が１段目ブームパイプに対してスライドした場合に、コイルホース２９がＬ形配管４１ｃに引っ張られてワイヤ２８に沿って伸び、逆に２段目ブーム２０が戻るときは縮む。
【００２８】
また、連結ホース４２ｂがノズルパイプ４３ｂに接続されているため、３段目ブームパイプ３０が２段目ブームパイプ２０に対してスライドした場合に、コイルホース３９が連結ホース４２ｂに引っ張られてワイヤ３８に沿って伸び、逆に３段目ブーム３０が戻るときは縮む。そして、ノズルパイプ４３ａ，４３ｂには、軸線方向に沿って複数のノズルが設けられており、このノズルから散布すべき農薬等が噴霧されるようになっている。
【００２９】
次に、本実施形態のスライドブーム４の特徴点について説明する。
【００３０】
図２，６及び７に示されるように、３段目ブームパイプ３０の基端側に設けられたローラ取付けブラケット３３には、更に、ワイヤ留めブラケット５１ａが取付けられ、これにワイヤ５８の一端が留められている。また、３段目ブームパイプ３０の先端側には、別のワイヤ留めブラケット５１ｂが取付けられ、これにワイヤ５８の他端が留められている。そして、スライドブーム４における第２の基端側スライドローラ３１と第２の先端側スライドローラ２２との間の領域（以下、便宜上「中間領域」と呼ぶ）において、ワイヤ５８を上方に張架し、かつ、２段目ブームパイプ２０及び３段目ブームパイプ３０に跨がるようにして、ブームパイプ撓み防止装置６０が３段目ブームパイプ３０に取付けられている。
【００３１】
図８及び図９に示されるように、ブームパイプ撓み防止装置６０は、断面逆Ｌ字形のブラケット部（ブラケット）６１と、支柱部６２、ワイヤ留めリング６３、上下方向支持ローラ６４（第１の支持ローラ）、及び、水平方向支持ローラ６５（第２の支持ローラ）とを備えている。ここで、図９は図８の側面図に相当するものであるが、ワイヤ留めリング６３、上下方向支持ローラ６４、及び、水平方向支持ローラ６５の部分については、便宜上、断面の様子を図示している。
【００３２】
ブームパイプ撓み防止装置６０は、ブラケット部６１の下部がボルト６６により３段目ブームパイプ３０に固定されている。ブラケット部６１には、ワイヤ５８を張架するための支柱部６２が上方に延びるように設けられており、支柱部６２の上部先端には、例えばゴム製のワイヤ留めリング６３が、ヒラザガネ７１及びバネザガネ７２を介してボルト締めにより取付けられている。ワイヤ５８は、図８に仮想線で示されるように、ワイヤ留めリング６３に架け渡されることにより、３段目ブームパイプ３０におけるワイヤ留めブラケット５１ａ,５１ｂ間で張架されている。
【００３３】
上下方向支持ローラ６４は、３段目ブームパイプ３０を２段目ブームパイプ２０に対して上下方向に支持するものであり、水平方向支持ローラ６５は、３段目ブームパイプ３０を２段目ブームパイプ２０に対して水平方向に支持するものである。これらは対とされて、ブームパイプ撓み防止装置６０に、３段目ブームパイプ３０の長手方向に離間して二組取付けられている。
【００３４】
図９に示されるように、断面逆Ｌ字形のブラケット部６１の上板６１ａに設けられた貫通孔６７にはデンデンボルト７３が挿通されており、当該上板６１ａを上下から挟む二つのナット７４により、デンデンボルト７３が当該上板６１ａに固定されている。このデンデンボルト７３に対して、ブラケット部６１の上板６１ａの下方から、カラー７５が外挿されると共に、このカラー７５に水平方向支持ローラ６５が外挿されており、デンデンボルト７３の下部の雄ネジに対してフランジ付きナット７６が締められることで、水平方向支持ローラ６５が回転自在にブラケット部６１に支持されている。
【００３５】
デンデンボルト７３の頭部の孔７３ａには、ボルト７８が挿通されている。このボルト７８の２段目ブームパイプ２０側には、カラー７７が外挿され、このカラー７７に上下方向支持ローラ６４が外挿されている。そして、デンデンボルト７３の反対側からフランジ付きナット７９がボルト７８の雄ネジに対して締められることで、カラー７７を介してボルト７８がデンデンボルト７３に取付けられ、上下方向支持ローラ６４が回転自在にブラケット部６１に支持されている。
【００３６】
そして、このようにブラケット部６１に取付けられた上下方向支持ローラ６４及び水平方向支持ローラ６５は、図４及び図９に示されるように、２段目ブームパイプ２０の表面のうち、外部に露出して逆Ｌ字を形成する、上面Ｓ１及びこの上面Ｓ１に直交する垂直面Ｓ２にそれぞれ当接されている。これにより、上下方向支持ローラ６４及び水平方向支持ローラ６５は、ブームパイプ撓み防止装置６０が固定された３段目ブームパイプ３０が２段目ブームパイプ２０に対してスライドする際に、２段目ブームパイプ２０の当該上面Ｓ１及び垂直面Ｓ２を転がり移動する。
【００３７】
以上説明したとおり、本実施形態のスライドブーム４は、２段目ブームパイプ２０と、２段目ブームパイプ２０にその長さ方向に沿ってスライド可能に設けられた３段目ブームパイプ３０と、３段目ブームパイプ３０の基端側を２段目ブームパイプ２０に支持する第２の基端側スライドローラ３１と、３段目ブームパイプ３０の先端側を２段目ブームパイプ２０に支持する第２の先端側スライドローラ２２と、その中間領域において３段目ブームパイプ３０に設けられたブームパイプ撓み防止装置６０と、を備え、ブームパイプ撓み防止装置６０は、上下方向に対して３段目ブームパイプ３０を２段目ブームパイプ２０に支持するための上下方向支持ローラ６４、及び、水平方向に対して３段目ブームパイプ３０を２段目ブームパイプ２０に支持するための水平方向支持ローラ６５を有している。このため、３段目ブームパイプ３０の中間領域において上下方向支持ローラ６４により３段目ブームパイプ３０が２段目ブームパイプ２０に対して上下方向に支持されるため、スライドブーム４を縮めた状態において３段目ブームパイプ３０が上下方向に撓むことが防止される。また、３段目ブームパイプ３０の中間領域において水平方向支持ローラ６５により３段目ブームパイプ３０が２段目ブームパイプ２０に対して水平方向に支持されるため、スライドブーム４を縮めた状態において３段目ブームパイプ３０がブームスプレーヤ１の走行時のスライドブーム４の揺れにより水平方向に撓むことが防止される。従って、本実施形態のスライドブーム４によれば、スライドブーム４を縮めた状態におけるブームパイプの撓みを防止することができる。
【００３８】
また、ブームパイプ撓み防止装置６０は、２段目ブームパイプ２０に設けられたブラケット部６１を有し、ブラケット部６１には上下方向支持ローラ６４及び水平方向支持ローラ６５が設けられているため、ブームパイプの上下方向及び水平方向の撓みを防止する部材が一つの部材に集約されており、取扱い性の向上及び低コスト化が図られている。
【００３９】
また、上下方向支持ローラ６４及び水平方向支持ローラ６５は、２段目ブームパイプ２０の表面のうち、外部に露出している上面Ｓ１及びこの上面Ｓ１に直交する垂直面Ｓ２にそれぞれ当接している。このため、複数のブームパイプ２０，３０を備えるスライドブーム４を組み立てた後でも、外部に露出している当該上面Ｓ１及び垂直面Ｓ２に対してブームパイプ撓み防止装置６０を容易に取り付けることができる。また、既存のスライドブームに対しても、本実施形態の２段目ブームパイプ２０及び３段目ブームパイプ３０に相当するブームパイプを分解することなく、２段目ブームパイプ２０に相当するブームパイプの外部に露出している上面及び垂直面に対して後付けでブームパイプ撓み防止装置６０を容易に取り付けることができる。
【００４０】
また、ブームパイプ撓み防止装置６０は、３段目ブームパイプ３０の基端側と先端側とをつなぐワイヤ５８を張架するための支柱部６２を備えているため、ワイヤ５８を支柱部６２で張架することにより、スライドブーム４を伸ばした状態において３段目ブームパイプ３０の先端側が自重により垂れ下がることを防止することができる。
【００４１】
なお、スライドブームを縮めた状態におけるブームパイプの撓みを防止する手段として、特許第４１６０７３８号公報では、隣り合うブームパイプの間に、ブームパイプ間の隙間を埋めるべく、離間部材をスライド自在に設ける技術が提案されている。しかしながら、当該離間部材は、スライドブーム４に対する組み付けが容易でなく、特に既存のスライドブームに適用する場合にはスライドブームを分解する必要があり、また、摩擦抵抗が大きいためにブームパイプをスライドさせる際に障害となる。これに対し、本実施形態におけるブームパイプ撓み防止装置６０は、上記のとおり、スライドブームに対する組み付けが容易であり、かつ、３段目ブームパイプ３０が２段目ブームパイプ２０に対してスライドする際に、上下方向支持ローラ６４及び水平方向支持ローラ６５が２段目ブームパイプ２０の表面を転がり移動するために、摩擦抵抗が小さいという利点がある。
【００４２】
以上、本発明の好適な実施形態について説明したが、本発明は上記実施形態に限定されるものではない。例えば、上記実施形態では、ブームパイプ撓み防止装置６０が３段目ブームパイプ３０に固定され、かつ、上下方向支持ローラ６４及び水平方向支持ローラ６５が、２段目ブームパイプの表面のうち外部に露出している上面Ｓ１及びこの上面Ｓ１に直交する垂直面Ｓ２にそれぞれ当接している態様を示したが、ブームパイプ撓み防止装置６０が２段目ブームパイプ２０に固定され、かつ、上下方向支持ローラ６４及び水平方向支持ローラ６５が、３段目ブームパイプ３０の表面のうち外部に露出している下面及びこの下面に直交する垂直面にそれぞれ当接している態様としてもよい。
【００４３】
また、上記実施形態では、ブームパイプ撓み防止装置６０を２段目ブームパイプ２０と３段目ブームパイプ３０との間に適用したが、多段のブームパイプを備えるスライドブームにあっては、他の段のブームパイプ間に適用することもできる。また、上記実施形態では、特に好ましい例として上下方向支持ローラ６４と水平方向支持ローラ６５との両方を備える態様を示したが、これらの何れか一方の支持ローラを備える態様としてもよい。
【符号の説明】
【００４４】
２…車両、４…スライドブーム、２０…２段目ブームパイプ（第１のブームパイプ）、２２…第２の先端側スライドローラ（先端側支持部）、３０…３段目ブームパイプ（第２のブームパイプ）、３１…第２の基端側スライドローラ（基端側支持部）、３３…ローラ取付けブラケット（基端側支持部）、５８…ワイヤ、６０…ブームパイプ撓み防止装置、６１…ブラケット部（ブラケット）６４…上下方向支持ローラ（第１の支持ローラ）、６５…水平方向支持ローラ（第２の支持ローラ）、Ｓ１…上面、Ｓ２…垂直面。
【図１】
0005681143.tif 000002
【図２】
0005681143.tif 000003
【図３】
0005681143.tif 000004
【図４】
0005681143.tif 000005
【図５】
0005681143.tif 000006
【図６】
0005681143.tif 000007
【図７】
0005681143.tif 000008
【図８】
0005681143.tif 000009
【図９】
0005681143.tif 000010